(57)【要約】【課題】ボイスメモをとるのに適した、より使い勝手の良い音声録音装置を実現する。【解決手段】（１）入力された音声データに記憶日時とを対応づけて記憶し、記憶日時の分布を表示させる。（２）音声データが再生されたか否かを記憶し、未再生の音声データが有ることをユーザに通知し注意を喚起する。（３）標準時を含む電波を受信して標準時を取得し、改ざん検知可能に音声データに埋め込むことによって、音声データがその時間に既に存在していたことの証明と、記憶された状態であることの証明をし、音声データの証拠能力を高める。【選択図】図４
2005189618.tif 000002
【特許請求の範囲】
【請求項１】
音声入力手段と、
この音声入力手段によって入力された音声を音声データとして記憶日時と対応づけて記憶する音声データ記憶手段と、
この音声データ記憶手段に記憶された音声データを再生する再生手段と、
前記音声データ記憶手段に記憶されている音声データの記憶日時の分布および音声データの記憶回数のうち少なくとも一方を表示するように制御する表示制御手段と、
を備えることを特徴とする音声録音装置。
【請求項２】
前記表示制御手段は、音声データの記憶日時を基に、前記音声データ記憶手段に記憶されている音声データの数を所定の期間単位で集計する集計手段と、この集計手段によって集計された期間単位での音声データの数の分布を表示する制御を行う制御手段とを備えていることを特徴とする請求項１に記載の音声録音装置。
【請求項３】
前記音声データ記憶手段に記憶されている音声データが、前記再生手段で再生されたか否かの識別情報を記憶する再生識別情報記憶手段と、
この再生識別情報記憶手段に記憶されている識別情報をもとに、前記音声データ記憶手段に未再生の音声データが記憶されているか否かを判定する未再生判定手段と、
この未再生判定手段によって記憶されていると判定された場合に、未再生の音声データが有ることをユーザに報知する報知手段と、
を備えることを特徴とする請求項１又は２に記載の音声録音装置。
【請求項４】
音声入力手段と、
この音声入力手段によって入力された音声を音声データとして記憶日時と対応づけて記憶する音声データ記憶手段と、
この音声データ記憶手段に記憶された音声データを再生する再生手段と、
前記音声データ記憶手段に記憶されている音声データが、前記再生手段で再生されたか否かの識別情報を記憶する再生識別情報記憶手段と、
この再生識別情報記憶手段に記憶されている識別情報をもとに、前記音声データ記憶手段に未再生の音声データが記憶されているか否かを判定する未再生判定手段と、
この未再生判定手段によって記憶されていると判定された場合に、未再生の音声データが有ることをユーザに報知する報知手段と、
を備えることを特徴とする音声録音装置。
【請求項５】
前記報知手段は、前記未再生の音声データの記憶日時からの経過時間が所定の経過時間条件を満たすか否かを判定する時間経過判定手段を有し、この時間経過判定手段によって満たすと判定された場合に報知をする手段である、
ことを特徴とする請求項３又は４に記載の音声録音装置。
【請求項６】
前記経過時間条件として複数の報知時期が予め設定されており、
前記時間経過判定手段は、経過時間が前記設定された何れかの報知時期に達したか否かを判定する手段であり、
前記報知手段は、前記時間経過判定手段によって達したと判定される都度、一定時間報知をする手段である、
ことを特徴とする請求項３〜５の何れか一項に記載の音声録音装置。
【請求項７】
標準時を含む電波を受信して標準時を取得する標準時取得手段を備え、
前記音声データ記憶手段は、前記標準時取得手段で取得した標準時を記憶日時として改ざん検知が可能に前記音声データに埋め込むタイムスタンプ手段を有する、
ことを特徴とする請求項１〜６の何れか一項に記載の音声録音装置。
【請求項８】
音声入力部を備えているコンピュータに、
前記音声入力部に入力された音声を音声データとして記憶日時と対応づけて記憶する音声データ記憶機能と、
この音声データ記憶機能によって記憶された音声データを再生する再生機能と、
前記音声データ記憶機能によって記憶された音声データの記憶日時の分布および音声データの記憶回数のうち少なくとも一方を表示するように制御する表示制御機能と、
を実現させるためのプログラム。
【請求項９】
音声入力部を備えているコンピュータに、
前記音声入力部に入力された音声を音声データとして記憶日時と対応づけて記憶する音声データ記憶機能と、
この音声データ記憶機能によって記憶された音声データを再生する再生機能と、
前記音声データ記憶機能に記憶された音声データが、再生されたか否かの識別情報を記憶する再生識別情報記憶機能と、
この再生識別情報記憶機能によって記憶された識別情報をもとに、未再生の音声データが記憶されているか否かを判定する未再生判定機能と、
この未再生判定機能によって記憶されていると判定された場合に、未再生の音声データが有ることをユーザに報知する報知機能と、
を実現させるためのプログラム。
【発明の詳細な説明】
【技術分野】
【０００１】
本発明は、音声録音装置等に関する。
【背景技術】
【０００２】
思いつきやひらめき（広い意味でのアイデア）を、その場で何らかの形でメモし記憶することは、企画や研究開発など創造的な仕事に携わる者にとっては重要な行為である。最も単純な形態は筆記用具によるものであるが、近年では持ち運びに容易な小型の録音装置が発達し、録音装置に向かって思いつきやひらめきを話し、その音声をデータとして記憶するものが広く普及するようになった。例えば、携帯電話機やＰＤＡのアプリケーションとしてのボイスメモ機能や、会議・取材録音のためのＩＣレコーダ、家庭用の伝言メモ用ボイスレコーダなどがそれである。中には、録音に際して何時何処で録音したかが後で分かるように、音声データに時間情報と空間情報を対応づけて記憶するものも有る（例えば、特許文献１参照。）。
【特許文献１】特開平１０−３１５７６号公報
【発明の開示】
【発明が解決しようとする課題】
【０００３】
ところが、上述のような従来のボイスメモ機能やボイスレコーダなどでは、単に録音した音声を再生する機能が中心であった。その為、ひらめきをもとに研究開発する技術者や研究者にとっては使い難い点が多々あった。
【０００４】
例えば、（１）どういった時間帯にひらめき易いかその傾向を知るためには、別途、録音時の時間情報を頼りに解析しなければならなかった。また、（２）ひらめきを録音したが再生することを忘れて、せっかくのひらめきが活かされずに忘れ去られてしまうといった問題が有った。また、（３）特に発明などに関するひらめきは何時ひらめいたかが重要となるが、従来のボイスメモ機能やボイスレコーダなどでは音声データとともに記憶される時間情報の完全性証明（非改ざん証明）ができないために、そのままでは証拠として使えないといった問題があった。
【０００５】
本発明は、こうした問題を鑑みて成されたものである。その目的とするところは、ボイスメモをとるのに適した、より使い勝手の良い音声録音装置を実現することである。
【課題を解決するための手段】
【０００６】
上記課題を解決するために、請求項１に記載の発明の音声録音装置（例えば、図１の腕時計１０００）は、音声入力手段（例えば、図１のマイクロフォン１００２、図２の音入力部１４）と、この音声入力手段によって入力された音声を音声データとして記憶日時と対応づけて記憶する音声データ記憶手段（例えば、図１の制御ユニット１００６、図２のフラッシュメモリ６０、ひらめき情報６１）と、この音声データ記憶手段に記憶された音声データを再生する再生手段（例えば、図１のスピーカ１０１０、図２のＣＰＵ１０、音出力部５０、図４のステップＳ２６〜Ｓ３８）と、前記音声データ記憶手段に記憶されている音声データの記憶日時の分布および音声データの記憶回数のうち少なくとも一方を表示するように制御する表示制御手段（例えば、図１の制御ユニット１００６、図２のＣＰＵ１０、表示部５２、図４のステップＳ４０〜Ｓ４６）と、を備えることを特徴とする。
【０００７】
請求項２に記載の発明は、請求項１に記載の音声録音装置であって、前記表示制御手段は、音声データの記憶日時を基に、前記音声データ記憶手段に記憶されている音声データの数を所定の期間単位で集計する集計手段（例えば、図１の制御ユニット１００６、図２のＣＰＵ１０、表示部５２、図４のステップＳ４０〜Ｓ４６）と、この集計手段によって集計された期間単位での音声データの数の分布を表示する制御を行う制御手段とを備えていることを特徴とする。
【０００８】
また、請求項８に記載の発明のプログラムは、音声入力部を備えているコンピュータに、前記音声入力部に入力された音声を音声データとして記憶日時と対応づけて記憶する音声データ記憶機能（例えば、図２のＣＰＵ１０、フラッシュメモリ６０、ひらめき情報６１、図４のステップＳ１０）と、この音声データ記憶機能によって記憶された音声データを再生する再生機能（例えば、図２のＣＰＵ１０、音出力部５０、図４のステップＳ２６〜Ｓ３８）と、前記音声データ記憶機能によって記憶された音声データの記憶日時の分布および音声データの記憶回数のうち少なくとも一方を表示するように制御する表示制御機能（例えば、図２のＣＰＵ１０、表示部５２、図４のステップＳ４０〜Ｓ４６）と、を実現させることを特徴とする。
【０００９】
請求項１、２及び８に記載の発明によれば、入力された音声データを記憶し再生する機能に加えて、音声データと記憶日時とを対応づけて記憶し、記憶日時の分布および音声データの記憶回数のうち少なくとも一方を表示させることができる。したがって、いつどういった時間帯により多くひらめくかといった傾向を簡単に知ることができる。
【００１０】
請求項３に記載の発明は、請求項１又は２に記載の音声録音装置であって、前記音声データ記憶手段に記憶されている音声データが、前記再生手段で再生されたか否かの識別情報を記憶する再生識別情報記憶手段（例えば、図２のＣＰＵ１０、フラッシュメモリ６０、図３の未再生フラグ６１ｄ）と、この再生識別情報記憶手段に記憶されている識別情報をもとに、前記音声データ記憶手段に未再生の音声データが記憶されているか否かを判定する未再生判定手段（例えば、図２のＣＰＵ１０、図４のステップＳ１２）と、この未再生判定手段によって記憶されていると判定された場合に、未再生の音声データが有ることをユーザに報知する報知手段（例えば、図１のディスプレイ１００８、図２のＣＰＵ１０、表示部５２、図４のステップＳ１４〜Ｓ２４）と、を備えることを特徴とする。
【００１１】
また、請求項４に記載の発明の音声録音装置は、音声入力手段と、この音声入力手段によって入力された音声を音声データとして記憶日時と対応づけて記憶する音声データ記憶手段と、この音声データ記憶手段に記憶された音声データを再生する再生手段と、前記音声データ記憶手段に記憶されている音声データが、前記再生手段で再生されたか否かの識別情報を記憶する再生識別情報記憶手段（例えば、図２のＣＰＵ１０、フラッシュメモリ６０、図３の未再生フラグ６１ｄ）と、この再生識別情報記憶手段に記憶されている識別情報をもとに、前記音声データ記憶手段に未再生の音声データが記憶されているか否かを判定する未再生判定手段（例えば、図２のＣＰＵ１０、図４のステップＳ１２）と、この未再生判定手段によって記憶されていると判定された場合に、未再生の音声データが有ることをユーザに報知する報知手段（例えば、図１のディスプレイ１００８、図２のＣＰＵ１０、表示部５２、図４のステップＳ１４〜Ｓ２４）と、を備えることを特徴とする。
【００１２】
また、請求項９に記載のプログラムは、音声入力部を備えているコンピュータに、前記音声入力部に入力された音声を音声データとして記憶日時と対応づけて記憶する音声データ記憶機能と、この音声データ記憶機能によって記憶された音声データを再生する再生機能と、前記音声データ記憶機能に記憶された音声データが、再生されたか否かの識別情報を記憶する再生識別情報記憶機能（例えば、図２のＣＰＵ１０、フラッシュメモリ６０、図３の未再生フラグ６１ｄ、図４のステップＳ１０、ステップＳ３６）と、この再生識別情報記憶機能によって記憶された識別情報をもとに、未再生の音声データが記憶されているか否かを判定する未再生判定機能（例えば、図２のＣＰＵ１０、図４のステップＳ１２）と、この未再生判定機能によって記憶されていると判定された場合に、未再生の音声データが有ることをユーザに報知する報知機能（例えば、図１のディスプレイ１００８、図２のＣＰＵ１０、表示部５２、図４のステップＳ１４〜Ｓ２４）と、を実現させることを特徴とする。
【００１３】
請求項３、４及び９に記載の発明によれば、音声データが再生されたか否かを記憶し、未再生の音声データが有ることをユーザに通知し注意を喚起することができる。したがって、ひらめきを録音したが再生することを忘れて、せっかくのひらめきが活かされずに忘れ去られてしまうといったことを防ぐことができる。
【００１４】
より効果的に注意を喚起するために、請求項５の発明は、請求項３又は４に記載の音声録音装置であって、前記報知手段は、前記未再生の音声データの記憶日時からの経過時間が所定の経過時間条件を満たすか否かを判定する時間経過判定手段（例えば，図２のＣＰＵ１０、図４のステップＳ１６）を有し、この時間経過判定手段によって満たすと判定された場合に報知をする手段であることを特徴とする。
【００１５】
請求項５に記載の発明によれば、請求項３又は４に記載の発明と同様の効果を奏するとともに、未再生の音声データの記憶日時から所定時間が経過している場合に、報知をすることができる。したがって、音声データを記憶した日時からの時間経過に応じて報知をすることができるので、リマインダーとしてより効果的に機能する。
【００１６】
より効果的な形態として、請求項６に記載の発明は、請求項３〜５の何れか一項に記載の音声録音装置であって、前記経過時間条件として複数の報知時期が予め設定されており、前記時間経過判定手段は、経過時間が前記設定された何れかの報知時期に達したか否かを判定する手段であり、前記報知手段は、前記時間経過判定手段によって達したと判定される都度、一定時間報知をする手段であることを特徴とする。
【００１７】
請求項６に記載の発明によれば、請求項３〜５の何れか一項に記載の発明と同様の効果を奏するとともに、音声データが再生されるまでの間、記憶日時からの経過時間に応じて複数回に渡って一定時間報知し、報知を止め、再び報知をするといったことを繰り返すことができる。したがって、常時報知がなされているためにユーザが報知されていることが当たり前のように感じ、結果として再生を忘れることのないようにできる。
【００１８】
請求項７に記載の発明は、請求項１〜６の何れか一項に記載の音声録音装置であって、標準時を含む電波を受信して標準時を取得する標準時取得手段（例えば、図１の電波受信アンテナ１００４、図２のＣＰＵ１０、標準時取得部１６、図４のステップＳ６）を備え、前記音声データ記憶手段は、前記標準時取得手段で取得した標準時を記憶日時として改ざん検知が可能に前記音声データに埋め込むタイムスタンプ手段（例えば、図２のＣＰＵ１０、図４のステップＳ８）を有することを特徴とする。
【００１９】
請求項７に記載の発明によれば、請求項１〜６の何れか一項に記載の発明と同様の効果を奏するとともに、標準時を含む電波を受信して標準時を取得し、改ざん検知可能に音声データに埋め込むことができる。したがって、音声データがその時間に存在していたことの証明と完全性の証明ができるので、音声データの証拠能力を高めることができる。
【発明の効果】
【００２０】
本発明によれば、入力された音声データを記憶し再生する機能に加えて、音声データと記憶日時とを対応づけて記憶し、記憶日時の分布を表示させることで、いつどういった時間帯により多くひらめくかといった傾向を簡単に知ることができる。
【００２１】
また、音声データが再生されたか否かを記憶することによって、未再生の音声データが有ることをユーザに通知し注意を喚起することができる。したがって、ひらめきを録音したが再生することを忘れて、せっかくのひらめきが活かされずに忘れ去られてしまうといったことを防ぐことができる。
【００２２】
更に、未再生の音声データの記憶日時から所定時間が経過しているか否かを判定し、経過している場合に報知をすることによって、音声データを記憶した日時からの時間経過に応じて報知をすることができるので、リマインダーとしてより効果的に機能する。
【００２３】
より効果的には、音声データが再生されるまでの間、記憶日時からの経過時間に応じて複数回に渡って一定時間報知し、報知を止め、再び報知をするといったことを繰り返すことによって、常時報知がなされているためにユーザが報知されていることが当たり前のように感じ、結果として再生を忘れることのないようにできる。
【００２４】
また、標準時を含む電波を受信して標準時を取得し、改ざん検知可能に音声データに埋め込むことによって、音声データがその時間に既に存在していたことの証明と、記憶された状態であることの証明ができるので、音声データの証拠能力を高めることができる。
【発明を実施するための最良の形態】
【００２５】
本発明を実施するための最良の形態として、本発明を腕時計に適用した場合を例に挙げて説明する。尚、本発明の適用可能形態がこれに限定されるものではない。例えば、多機能携帯電話機、パソコンやＰＤＡなどのアプリケーション、電子辞書、ボイスレコーダ、デジタルカメラなどその他の電子機器にも同様に適用することができる。
【００２６】
［構成の説明］
図１は、本発明を適用した腕時計の構成の一例を示す外観図である。腕時計１０００は、マイクロフォン１００２と、電波受信アンテナ１００４と、制御ユニット１００６と、ディスプレイ１００８と、スピーカ１０１０と、操作入力キー１０１２と、近距離無線通信モジュール１０１４と、電源部（図示略）とを備える。
【００２７】
電波受信アンテナ１００４は、時報局４から送信される「標準時」を含む電波（標準電波）を受信する。例えば、日本国での使用を想定する場合、標準電波送信所（福島局（40kHz）と九州局（60kHz））から送信される長波を受信する公知の電波時計用の内蔵アンテナを使用することができる。
【００２８】
制御ユニット１００６は、ＣＰＵ（Central  Processing  Unit）や各種ＩＣメモリ、発振素子等を搭載し、時計としての計時機能を実現するとともに腕時計１０００の機能を統合的に制御する。具体的には、例えば、電波受信アンテナ１００４で受信した標準電波を解析して標準時を取得する処理、取得した標準時にしたがって計時時刻を補正する処理、マイクロフォン１００２から入力された音声の音声データにタイムスタンプして記憶する処理、音声データが未再生か否かを記憶する処理、音声データの記憶日時の分布を表示制御する処理、近距離無線通信モジュール１０１４を介して外部装置６へ記憶した音声データを送信する処理などを実行する。
【００２９】
ディスプレイ１００８は、腕時計として時刻や曜日及び日付などを表示するとともに、各種のメニュー画面や選択画面、分布図や統計グラフなどを表示する。例えば、ＬＣＤ（Liquid Crystal Display）やＥＬＤ（Electronic Luminescent Display）などの表示素子及びそのドライバー回路によって実現される。
【００３０】
操作入力キー１０１２は、メニュー選択など各種の操作を入力するためのボタンスイッチ等である。ディスプレイ１００８の上面にタッチパネルを設けて実現しても良い。
【００３１】
スピーカ１０１０は、記憶されている音声データを音出力して再生する。同図では、内蔵スピーカとして表しているが、ディスプレイ１００８の上面に透明なユニモルフスピーカを設けるとより小型化を図ることができるので好ましい。
【００３２】
近距離無線通信モジュール１０１４は、公知の近距離無線規格に準拠した通信モジュールである。外部装置６（例えば、ユーザのパーソナルＰＣなど）と無線通信して、記憶した音声データを送信することができる。
【００３３】
［機能ブロックの説明］
図２は、本実施形態における機能構成の一例を示す機能ブロック図である。同図に示すように、腕時計１０００は、ＣＰＵ１０と、操作入力部１２と、音入力部１４と、標準時取得部１６と、ＲＡＭ２０と、ＲＯＭ４０と、フラッシュメモリ６０と、音出力部５０と、表示部５２と、通信部５４とを備え、信号線８０によって接続されている。
【００３４】
操作入力部１２は、例えば、ボタンスイッチやレバー、ダイヤル、タッチパネル、トラックパッドなどによって実現され、メニュー操作などの各種の操作を入力して操作信号をＣＰＵ１０に出力する。図１では、操作入力キー１０１２が該当する。
【００３５】
音入力部１４は、声（音）を入力し音声信号をＣＰＵ１０に出力する。図１ではマイクロフォン１００２が該当するが、その他、外部装置からの音声信号を受信することのできる接続端子を設けて外部入力可能な構成としても良い。
【００３６】
標準時取得部１６は、標準時を取得する。本実施形態では、標準電波受信用アンテナ及び受信器などによって実現され、所定の標準電波送信所から送信された標準電波を受信して、受信した電波の解析結果をＣＰＵ１０に出力する。図１では、電波受信アンテナ１００４が該当する。尚、標準電波を受信する構成に限らず、例えば通信部５４で通信回線に接続し、インターネットを介して所定の時間管理用サーバ（例えば、時刻情報提供用標準プロトコル「Network Time Protocol」（NTP）を利用したNTPサーバ）と通信して標準時を取得しＣＰＵ１０に出力する構成であっても良い。
【００３７】
音出力部５０は、記憶されている音声データを音出力する。図１では、スピーカ１０１０が該当するが、その他、外部出力用の端子を設けるとしても良い。
【００３８】
表示部５２は、ＬＣＤやＥＬＤなどの表示素子及びバックライトや駆動回路等によって実現され、ＣＰＵ１０の制御によって文字（テキスト）や図形、画像などを表示出力する。図１では、ディスプレイ１００８が該当する。
【００３９】
通信部５４は、通信回線を介して外部装置とデータ通信する手段であって、例えば、無線通信機、携帯電話機、ＰＨＳ端末装置、ＬＡＮボードなどによって実現できる。図１では近距離無線通信モジュール１０１４が該当する。
【００４０】
ＣＰＵ１０は、ＲＡＭ２０やＲＯＭ４０及びフラッシュメモリ６０に記憶されているプログラム及びデータに従って各種の演算処理を実行し、腕時計１０００の機能を統合的に制御する。例えば、日時を計時して表示する時計としての機能に係る処理、入力された音声の音声データに標準時を改ざん検知可能に埋め込むタイムスタンプ処理、再生忘れを防ぐための注意喚起のための出力処理、記憶されている音声データを再生する処理、音声データの再生履歴を記憶する処理、音声データの記憶日時の分布を表示する処理などを実行する。図１では、ＣＰＵ１０はＲＡＭ２０、ＲＯＭ４０、フラッシュメモリ６０とともに、制御ユニット１００６に実装されている。
【００４１】
ＲＡＭ２０は、ＣＰＵ１０が演算処理を実行する際にプログラムやデータを一時的に記憶する。本実施形態では、例えば、入力された音声のデータを格納する入力音声データ記憶領域２１と、時計として計時している現在の日時を格納する日時記憶領域２２と、を備える。標準時取得部１６で標準時を取得した場合には、日時記憶領域２２は取得した標準時で更新される。
【００４２】
ＲＯＭ４０は、日時を計時し時計表示するための時計プログラム（図示略）、ＣＰＵ１０にボイスメモとしての機能を実現させるためのボイスメモプログラム４１、及び各種グラフィック表示用のデータを記憶している。
【００４３】
ボイスメモプログラム４１は、ＣＰＵ１０に、記憶した音声データの再生忘れを防ぐための注意喚起のための報知機能を実現させるためのリマインダープログラム４２と、音声データの記憶日時の分布を表示する機能を実現させるための分布表示プログラム４３と、入力された音声データに記憶時の標準時を改ざん検知可能に埋め込む機能を実現させるためのタイムスタンププログラム４４とを含んでいる。
【００４４】
フラッシュメモリ６０は、何度でも電気的に記憶の消去・書き込みができるＲＯＭの一種であって、例えばＮＯＲ型フラッシュメモリによって実現される。本実施形態では、使用中に適宜更新されるデータとして、ユーザがひらめいたことを話した音声の音声データを記憶日時と対応づけて格納するひらめき情報６１が記憶される。
【００４５】
ひらめき情報６１は、例えば図３に示すように、記憶日時６１ａと、記憶時の標準時情報が電子透かしとして埋め込まれた音声データ６１ｂと、音声データ６１ｂの検証用データ６１ｃと、音声データ６１ｂが再生されたか否かを示す未再生フラグ６１ｄとを対応づけて格納する。
検証用データ６１ｃは、音声データ６１ｂの記憶日時や内容の改ざんの有無の検証に用いるためのデータである。具体的には、例えば、音声データ６１ｂのハッシュ値と、音声データ６１ｂの記憶時に取得した標準時と、腕時計１０００に固有のＩＤ情報（例えば、製造番号など）とを、メーカによって腕時計１０００に設定された公開鍵暗号技術に基づく秘密鍵を用いて暗号化したデータである。尚、検証用データ６１ｃは、その他の改ざん検知を目的としたデータであっても良いのは勿論であるし、音声データ６１ｂと一体／別体の如何は問わない。
【００４６】
［処理の流れの説明］
図４は、本実施形態における腕時計１０００の処理の流れについて説明するためのフローチャートである。ここで説明される処理は、ＣＰＵ１０がボイスメモプログラム４１を読み出して実行することによって実現され、常時繰り返し実行状態にある。尚、図示されないが時計としての機能も同様に常時実行状態にあるのは勿論である。
【００４７】
処理は大きく分けて、(1)録音に関する処理と、(2)注意喚起に関する処理と、(3)再生に関する処理と、(4)音声データの記憶日時の分布表示に関する処理とに分けることができる。
【００４８】
先ず、録音に関する処理について説明する。
ＣＰＵ１０は、操作入力部１２から所定の録音操作が入力された場合（ステップＳ２；ＹＥＳ）、音入力部１４から入力されたユーザがひらめいた内容を話す音声を所定時間サンプリングして音声データを生成し入力音声データ記憶領域２１に一時的に記憶する（ステップＳ４）。音声データのデータ形式や圧縮の有無は適宜設定して良い。
【００４９】
次に、標準時取得部１６で標準時を取得する（ステップＳ６）。そして、ＣＰＵ１０はタイムスタンププログラム４４を読み出して実行し、入力音声データ記憶領域２１に記憶されている音声データに、取得した標準時を改ざん検知可能に埋め込んでタイムスタンプする（ステップＳ８）。そして、ＣＰＵ１０はタイムスタンプされた音声データ６１ｂと、記憶日時６１ａとを対応づけてひらめき情報６１に格納する（ステップＳ１０）。この段階での未再生フラグ６１ｄのデフォルトは未再生を示す値である。また、標準電波を受信できないような環境に有る場合には、タイムスタンプ処理を省略し音声データをそのままひらめき情報６１に格納する。
【００５０】
ここで言うタイムスタンプに係る処理は、公知の電子透かしや電子署名、タイムスタンプを適宜用いることによって実現できる。例えば、原本となる入力音声データ記憶領域２１に記憶されている音声データに対して、先に取得した標準時を電子透かしによって埋め込む。更に、標準時を埋め込まれ音声データのハッシュ値を算出し、これを先に取得した標準時と、腕時計１０００に固有のＩＤ情報（例えば、製造番号など）とともに、メーカによって腕時計１０００に設定された公開鍵暗号技術に基づく秘密鍵を用いて暗号化し検証用データとして、音声データに添付する。
【００５１】
検証する場合には、公知の電子透かし技術によって、音声データに埋め込まれた標準時を確認することができる。また、腕時計１０００に固有のＩＤ情報をもとにメーカから当該腕時計１０００用の公開鍵を取得し、検証用データをデコードすることによって、当該音声データが記憶された標準時を知ることができる。更に、検証対象の音声データのハッシュ値を改めて算出し、デコードして得られたハッシュ値と比較することによって、該音声データに対する改ざんの有無を検知することができる。
【００５２】
また、電子透かしの方法は適宜選択して良いが、データの標本値に埋め込む方式がより好ましい。周波数成分に変換して埋め込む方式に比べて、音声データの加工によって電子透かしそのものが傷つけられ易くなるので、検証時に正しく標準時の電子透かしを検出できなければ、改ざんされたと見なすことができるからである。
【００５３】
次に、注意喚起に関する処理について説明する。ここで説明される処理は、ＣＰＵ１０がリマインダープログラム４２を読み出して実行することによって実現される。
先ず、ＣＰＵ１０は、ひらめき情報６１の未再生フラグ６１ｄを参照して、記憶後一度も再生されていない音声データ６１ｂが有るか否かを判定する（ステップＳ１２）。
未再生の音声データ６１ｂが有る場合（ステップＳ１２；ＹＥＳ）、未再生の音声データ６１ｂを検索し（ステップＳ１４）、検索した音声データの記憶日時６１ａからの経過時間が、所定の経過時間条件を満たすか否かを判定する（ステップＳ１６）。ここで言う経過時間条件として、本実施形態では、「４時間後」「２４時間後」「７日後」「３０日後」の複数の条件を設定している。特には、エンビングハウス（ドイツの心理学者）の忘却曲線から忘却率が大きく低下する時間（４〜１９時間程度）を一つの経過時間条件とすると好ましい。
【００５４】
未再生の音声データの記憶日時６１ａからの経過時間が、所定の経過時間条件を満たす場合（ステップＳ１６；ＹＥＳ）、ＣＰＵ１０は表示部５２に所定の注意喚起のためのマーク（リマインダーマーク）を表示させて通知し、ユーザに注意喚起する（ステップＳ１８）。
【００５５】
次に、ＣＰＵ１０はリマインダーマークの表示開始時刻をＲＡＭ２０に記憶する（ステップＳ２０）。現在の時刻が、表示開始時刻から一定時間経過している場合には（ステップＳ２２；ＹＥＳ）、リマインダーマークの表示を解除する（ステップＳ２４）。すなわち、ステップＳ２０〜Ｓ２４の処理によってリマインダーマークが表示されていることにユーザが見慣れ、結果として注意喚起の効果がなくなってしまうことを防ぐ。
【００５６】
例えば、図５は、本実施形態における注意喚起された状態の表示画面の一例を示す図である。同図に示すように、例えばディスプレイ１００８の表示画面には、従来の時計表示と同様にして、日付表示Ｐ１、曜日表示Ｐ２及び時刻表示Ｐ３が表示される。そして、ステップＳ１８によって、リマインダーマークＰ４が表示される。リマインダーマークＰ４の表示形態は、適宜設定可能であるが経過時間条件毎に異なる表示形態を設定するとより好ましい。例えば、「４時間後」には表示形態Ａとして青色で常時表示状態でリマインダーマークＰ４を表示させ、「２４時間後」には表示形態Ｂとして黄色で表示されるとともにともに常時表示状態とする。更に、「７日後」以降には表示形態Ｃとして赤色で比較的早く点滅表示させるとしても良い。
【００５７】
次に、再生に関する処理について説明する。
先ずＣＰＵ１０は、操作入力部１２から所定の再生操作が入力された場合（ステップＳ２６；ＹＥＳ）、ひらめき情報６１に格納されている音声データ６１ｂの一覧を表示部５２に表示させ（ステップＳ２８）、この際タイムスタンプされている音声データ、すなわち検証用データ６１ｃが対応付けられている音声データ６１ｂについては、タイムスタンプされていることを示す所定のマークを一覧表示に添付表示し（ステップＳ３０）、同様に未再生の音声データ６１ｂには未再生を示す所定のマークを一覧表示に添付表示する（ステップＳ３２）。これらの添付表示によって、ユーザはどの音声データがタイムスタンプされていて時間証明ができるか、どの音声データを再生すべきかを一目で知ることができる。
【００５８】
次に、所定の選択操作が入力されたならば（ステップＳ３４；ＹＥＳ）、ＣＰＵ１０は選択された音声データ６１ｂを音出力部５０で再生させ、未再生フラグ６１ｄを再生済みに更新する（ステップＳ３６）。そして、操作入力部１２から所定の終了操作が入力されると（ステップＳ３８；ＹＥＳ）、再生に関する処理を終了する。
【００５９】
例えば、図６は、本実施形態における音声データ６１ｂの一覧が表示された画面の一例を示す図である。同図（ａ）に示すように、例えばディスプレイ１００８の表示画面には、タイトル表示Ｐ１０と、操作入力キー１０１２に割り当てられた機能を示す操作アイコンＰ１１と、記録日選択肢Ｐ１２とが表示される。操作入力キー１０１２で所望する記録日を選択すると、同図（ｂ）に示すように、選択した記録日Ｐ１３と、この日に記憶された音声データの一覧表示Ｐ１４が表示される。一覧表示Ｐ１４には、音声データ毎に、ファイル番号Ｐ１５と記録時間Ｐ１６と、アイコンＰ１７と、未再生であることを示す未再生マークＰ１８と、タイムスタンプされていることを示すタイムスタンプマークＰ１９とが表示される。ユーザが、操作入力キー１０１２で一覧表示Ｐ１４から所望する音声データを選択すると、選択された音声データがスピーカ１０１０から再生される。
【００６０】
次に、音声データの記憶日時の分布表示に関する処理（「ひらめきダイアリ」と呼ぶ。）について説明する。ここで説明する処理は、操作入力部１２から所定の操作が入力された場合（ステップＳ４０；ＹＥＳ）、ＣＰＵ１０は分布表示プログラム４３を読み出して実行することによって実現される。
【００６１】
先ず、表示部５２に分布表示の基準となる時間の表示単位を選択可能に表示させ、ユーザに選択させる（ステップＳ４２）。そして、ひらめき情報６１に格納されている音声データ６１ｂの記憶日時６１ａに基づいて、音声データの記憶日時の分布および音声データの記憶回数のうち少なくとも一方を表示部５２に表示させる（ステップＳ４４）。そして、所定の終了操作が入力されたならば、分布表示に関する処理を終了する（ステップＳ４６；ＹＥＳ）。
【００６２】
例えば、図７は、日単位で表示する場合の表示画面の一例を示す図である。同図（ａ）に示すように、ディスプレイ１００８の表示画面には、タイトルＰ３０と、操作アイコンＰ１１と、分布表示の基準となる時間の表示単位の選択肢Ｐ３１とが表示される。
「日単位」が選択された場合には、同図（ｂ）に示すように、記録日Ｐ３２と、この日に記憶された音声データの一覧Ｐ３３と、同日記憶された合計データ数Ｐ３４とが表示される。ここで、例えば、「日＋」又は「日−」の操作アイコンＰ１１に対応する操作入力キー１０１２を操作することによって、表示させる記録日を変更して、何日に多くのひらめきを録音したかを簡単に知ることができる。尚、一覧Ｐ３３で表示された音声データのうち、未再生フラグ６１ｄが未再生を示しているものには、所定の未再生マークＰ１８を添付表示すると好ましい。
【００６３】
例えば、図８は、週単位で表示する場合の表示画面の一例を示す図である。同図（ａ）に示すように、選択肢Ｐ３１で「週単位」が選択された場合には、同図（ｂ）に示すように、週を単位とする期間表示Ｐ３６と、日付Ｐ３７と、各日に記憶された合計データ数Ｐ３８と、記憶時間マーカＰ４０とが表示される。記憶時間マーカＰ４０では、一つの音声データにつき一つの記憶時間表示バーＰ４２が表示され、２４時間の内どの時間で音声データが記憶されたかが示される。
【００６４】
また、図９は、月単位で分布表示する場合の表示画面の一例を示す図である。同図（ａ）に示すように、選択肢Ｐ３１で「月単位」が選択された場合には、同図（ｂ）に示すように、表示月選択欄Ｐ５０が表示され、操作入力キー１０１２で表示月を選択することができる。表示月が選択されると、同図（ｃ）に示すように、選択された表示月Ｐ５１と、カレンダーＰ５２とが表示される。カレンダーＰ５２では、対象日が選択可能であり、対象日マーカＰ５３の示す日に記憶された音声データの合計データ数Ｐ５４が表示される。
【００６５】
また、図１０は、年単位で分布表示する場合の表示画面の一例を示す図である。同図（ａ）に示すように、選択肢Ｐ３１で「年単位」が選択された場合には、同図（ｂ）に示すように、表示年選択欄Ｐ６０が表示される。ユーザが、いずれかの年を選択すると、同図（ｃ）に示すように、表示年Ｐ６１と、同年の月別に記憶された音声データの数の分布グラフＰ６２が表示される。分布グラフＰ６２では、何れかの月が選択可能に表示され、選択されている月の合計データ数Ｐ６３が表示される。
【００６６】
また、図１１は、曜日別で分布表示する場合の表示画面の一例を示す図である。同図（ａ）に示すように、選択肢Ｐ３１で「曜日別」が選択された場合には、同図（ｂ）に示すように、音声データが記憶された全期間表示Ｐ６６と、同期間において記憶した音声データの合計データ数Ｐ６７が表示され、各曜日Ｐ６８毎に、曜日別記憶数Ｐ６９と、帯グラフＰ７０とが表示される。
【００６７】
また、図１２は、時間帯別で分布表示する場合の表示画面の一例を示す図である。同図（ａ）に示すように、選択肢Ｐ３１で「時間帯別」が選択された場合には、同図（ｂ）に示すように、音声データが記憶された全期間表示Ｐ７２と、同期間において記憶した音声データの合計データ数Ｐ７３と、２４時間の時間帯毎に記憶された音声データ数を表示した棒グラフＰ７４とが表示される。
【００６８】
ユーザは、これらの表示を見ることによって、音声データの記録日時の分布を知り、どういった曜日や時間帯などにひらめき易いかその傾向を容易に知ることができる。例えば、ユーザが寝際にひらめく度合が高いことがわかったならば、その時間帯によりリラックスし、或いは雑誌やインターネットで適度な刺激を受けることでより多くのひらめきを得ることができるように工夫することができる。また、夕刻以降に掛けてひらめく度合が高い場合には、集中的に仕事する時間を夕刻以降にもってくることによって、より効果的に創造的な仕事をすることができる。
【００６９】
以上、本発明を適用した一実施形態について説明したが、本発明の適用形態がこれに限定されるものではなく、発明の趣旨を逸脱せず同様の効果を奏する限りにおいて、適用する電子機器や、構成要素の追加・削除・変更を行っても良い。
【００７０】
例えば、上記実施形態では、腕時計１０００単体で音声データに標準時間の情報を埋め込みタイムスタンプする構成としたが、通信部５４で通信回線に接続し、インターネットを回して第三者機関によって運営されるタイムスタンプ局にアクセスして、タイムスタンプトークンを取得する構成としても良い。具体的には、ステップＳ６において入力音声データ記憶領域２１に格納されている原本となる音声データのハッシュ値を算出して、所定のタイムスタンプ局に送信し、送信したハッシュ値にタイムスタンプ局で時刻情報を付与しデジタル署名されたタイムスタンプトークン（「電子レシート」とも言う。）を受信する。
【００７１】
また、例えば、適用形態は腕時計１０００に限らず、多機能携帯電話機、パソコンやＰＤＡなどのアプリケーション、電子辞書、ボイスレコーダ、デジタルカメラなどその他の電子機器にも同様に適用することができる。例えば、図１３に示すようなリムーバブルメディア１１００に適用しても構わない。リムーバブルメディア１１００は、基本的に腕時計１０００と同様の構成要素を備えて実現され、同様の処理フローによって実現することができる（同図では上記実施形態と同様の構成要素については、同じ符号を付けている。）。リムーバブルメディア１１００は、近年、技術者や研究者、ビジネスマンの間で広く普及した情報記憶媒体で、制御ユニット１００６に搭載されたＩＣメモリにＵＳＢ端子１０２２で接続されたパソコン等から記憶し簡単に持ち運ぶことができる。したがって、腕時計１０００のように常日頃持ち歩くものであり利便性が高い。
【図面の簡単な説明】
【００７２】
【図１】本発明を適用した腕時計の構成の一例を示す外観図。
【図２】本発明を適用した腕時計の機能構成の一例を示す機能ブロック図。
【図３】ひらめき情報のデータ構成の一例を示す図。
【図４】腕時計の処理の流れについて説明するためのフローチャート。
【図５】注意喚起された状態の表示画面の一例を示す図。
【図６】記憶されている音声データの一覧が表示された画面の一例を示す図。
【図７】日単位で音声データの記録日時の分布を表示する場合の表示画面の一例を示す図。
【図８】週単位で音声データの記録日時の分布を表示する場合の表示画面の一例を示す図。
【図９】月単位で音声データの記録日時の分布を表示する場合の表示画面の一例を示す図。
【図１０】年単位で音声データの記録日時の分布を表示する場合の表示画面の一例を示す図。
【図１１】曜日別で音声データの記録日時の分布を表示する場合の表示画面の一例を示す図。
【図１２】時間帯別で音声データの記録日時の分布を表示する場合の表示画面の一例を示す図。
【図１３】本発明を適用したリムーバルメディアの構成の一例を示す外観図。
【符号の説明】
【００７３】
４  時報局
１４  音入力部
１６  標準時取得部
４０  ＲＯＭ
４１  ボイスメモプログラム
４２  リマインダープログラム
４３  分布表示プログラム
４４  タイムスタンププログラム
５０  音出力部
５２  表示部
６０  フラッシュメモリ
６１  ひらめき情報
６１ａ  記憶日時
６１ｂ  音声データ
６１ｃ  検証用データ
６１ｄ  未再生フラグ
１０００  腕時計
１００２  マイクロフォン
１００４  電波受信アンテナ
１００６  制御ユニット
１００８  ディスプレイ
１０１０  スピーカ
１０１２  操作入力キー
Ｐ４  リマインダーマーク
Ｐ１３  記録日
Ｐ１８  未再生マーク
Ｐ１９  タイムスタンプマーク
Ｐ３４  合計データ数
Ｐ６２  分布グラフ
Ｐ７０  帯グラフ
Ｐ７４  棒グラフ
【図１】
2005189618.tif 000003
【図２】
2005189618.tif 000004
【図３】
2005189618.tif 000005
【図４】
2005189618.tif 000006
【図５】
2005189618.tif 000007
【図６】
2005189618.tif 000008
【図７】
2005189618.tif 000009
【図８】
2005189618.tif 000010
【図９】
2005189618.tif 000011
【図１０】
2005189618.tif 000012
【図１１】
2005189618.tif 000013
【図１２】
2005189618.tif 000014
【図１３】
2005189618.tif 000015